(57)【要約】  【課題】従来のキーボードは椅子に座る姿勢が前かがみになりがちで健康的にも見かけ上も好ましくなかった。これは、従来のキー入力の態様では腕のひじの部分を折り曲げやすいからである。【解決手段】キーボード（０１０１）のキーを下向きに配置し、キー入力操作は手のひらを上に向け（０１０２）、ひじが腕の下側に来るように入力姿勢をとるように構成する。本願発明のキーボードを利用する場合に正しい姿勢を取りやすくなっている状態を示す図である。この図にあるように手のひらを上向きにして入力するのでひじがほぼ下向きに配置される。ひじを両側に開きにくいからである。ひじを両側に開くと正しいキー操作ができなくなる。この状態では体が前かがみになりにくい。従ってディスプレイ（０１０３）に対しても適切な距離を保てるので目の疲労例えばドライアイも軽減できる。【選択図】図１
2018180925.tif 000002
【特許請求の範囲】
【請求項１】
タッチ面が下向きに配置されるキーと、
前記キーを配置するキー配置ベースと、
前記キーに対面するように手のひらを上に向けて手を挿入する操作空間を作り出すためのスタンドと、
からなる下向きキーボード。
【請求項２】
前記キー配置ベースと前記キーとは少なくとも一部は透明で、前記キーと操作空間に挿入される手とを視認できるように構成された請求項１に記載の下向きキーボード。
【請求項３】
前記スタンドは高さ調節機能を有している請求項１又は請求項２に記載の下向きキーボード。
【請求項４】
前記スタンドはキー配置ベースに重なるように収納可能である請求項１から請求項３のいずれか一に記載の下向きキーボード
【請求項５】
前記キー配置ベースの上面にも別のキーボードを備えた請求項１から請求項４のいずれか一に記載の下向きキーボード。
【請求項６】
前記別のキーボードも少なくとも一部が透明である請求項５に記載の下向きキーボード。
【発明の詳細な説明】
【技術分野】
【０００１】
本発明はキーボードに関する発明である。
【背景技術】
【０００２】
キーボードは手の甲を上に向け、手のひらを下に向け、上側を向いたキーボード面を打つことによってキー入力をするものである。
【先行技術文献】
【特許文献】
【０００３】
【特許文献１】特開平７−１８２０８３
【発明の概要】
【発明が解決しようとする課題】
【０００４】
従来のキーボードは椅子に座る姿勢が前かがみになりがちで健康的にも見かけ上も好ましくなかった。これは、従来のキーボードの打ち方だとひじを左右方向に広げやすいために、腕のひじの部分を折り曲げやすいからである。
【課題を解決するための手段】
【０００５】
キーボードのキーを下向きに配置し、キー入力操作は手のひらを上に向け、ひじが腕の下側に来るように入力姿勢をとるように構成する。この姿勢だとひじは自身の胸の前方に自然に配置され、ひじの部分が折り曲げにくくなる。
【発明の効果】
【０００６】
キーボードの操作中に正しい姿勢が保ちやすくなる。
【図面の簡単な説明】
【０００７】
【図１】本願発明のキーボードを用いた場合の姿勢を示す図
【図２】本願発明とは異なる上向きのキーボードを用いた場合の姿勢を示す図
【図３】本願発明の概念斜視図
【図４】本願発明を利用する際の手の向きを示した図
【図５】本願発明を使用した際のイメージ図
【発明を実施するための形態】
【実施例１】
【０００８】
図１は、本願発明のキーボード（０１０１）を利用する場合に正しい姿勢を取りやすくなっている状態を示す図である。この図にあるように手のひらを上向き（０１０２）にして入力するのでひじがほぼ下向きに配置される。ひじを両側に開きにくいからである。ひじを両側に開くと正しいキー操作ができなくなる。この状態では体が前かがみになりにくい。従ってディスプレイ（０１０３）に対しても適切な距離を保てるので目の疲労例えばドライアイも軽減できる。
図２は、従来のキーボード（０２０１）の利用態様を参考のために示すものである。この図にあるようにキーが上向きに配置され、手のひらを下向き（０２０２）にして操作をする姿勢ではひじが完全に下向きでなくすこし左右にずれた位置になる。つまり本願発明の操作姿勢に比較して多少左右側面向きに傾く。この場合には体が前かがみになりやすく、姿勢が悪化しがちである。この場合にはディスプレイ（０２０３）に必要以上に近づく場合もあり目の疲労を招きやすい。
【０００９】
図３は本願発明のキーボードの一例を示す斜視図である。この図にあるように本願発明のキーボード（０３０１）は、タッチ面が下向きに配置されるキー（０３０２）と、前記キーを配置するキー配置ベース（０３０３）と、前記キーに対面するように手のひらを上に向けて手を挿入する操作空間を作り出すためのスタンド（０３０４ａ  ０３０４ｂ）と、からなる。またコンピュータにキー入力信号を伝達するインターフェイスが備えられている。例えばＵＳＢコネクタ（０３０５）や近距離無線である。キーは通常のキーと構造的には同等であり、接触圧力によってキー入力が実行される。ただし、下向きである分キー自身の重みによる下垂があるので従来よりもキーとキー配置ベースとのばね乗数は大きくしたほうがよい場合がある。図４は、本願発明のキーボードを利用する際の手の向き及び指の位置関係を示す図である。この図に示すように、上向きのキーボードを打つ時とは、指の配列が逆になる。そこで、キーのキャラクター配置は従来のキー配置とは変えて親指操作キーを左右両側に配置し、小指操作側を中央部に配置するように構成する。
また手のひらを上に向けて手を挿入する操作空間を作り出すスタンドは少なくともキー操作面の両側に必要となる。適切な高さは個人差があるが７センチメートルから１０センチメートル程度がよい。スタンドの高さは調整可能とすることが好ましい。
【００１０】
図５は、本願発明のキーボード（０５０１）を使用しているところのイメージである。この図にあるように、前記キー配置ベースと前記キーとは少なくとも一部は透明で、前記キーと操作空間に挿入される手（０５０２）とを上面から視認できるように構成されることが好ましい。どのキーを狙うか目視できたほうがよいからである。もちろんキーには指の標準配置を示すための立体的なマーカーが付されていることが好ましい。具体的にこれを達成するためには透明のプラスティック材料でキーやキー配置ベースを作り、透明の電極や透明の導電線を用いることで実現する。材料としてはＩＴＯ材料などである。ただし、導電線に関しては専有面積が小さいので実際には銅線などで構成しても視認性に大きな影響は及ぼさない。
さらに、前記スタンドはキー配置ベースに重なるように折り畳んで収納可能であると便利である。非利用時に省スペースとなるからである。具体的にはスタンドとキー配置ベースとをヒンジ的機能を有する機構で連結することが考えられる。またスタンドは、挿入した手の甲側、つまり底面にもわたって配置されていてもよい。その底面にヒーター機能が備えられていてもよい。また手に接触する面は手に対して滑りやすい材料で構成されていてもよい。
さらに、前記キー配置ベースの上面にも別のキーボードを備えた上記いずれか一に記載の下向きキーボードや、前記別のキーボードも少なくとも一部が透明である下向きキーボードであってもよい。またタッチパッドを有していてもよく、上面、下面いずれに配置してもよい。
【産業上の利用可能性】
【００１１】
本願発明はキーボードに利用できる。
【符号の説明】
【００１２】
０１０１  キーボード
０１０２  手
０１０３  ディスプレイ
【図１】
2018180925.tif 000003
【図２】
2018180925.tif 000004
【図３】
2018180925.tif 000005
【図４】
2018180925.tif 000006
【図５】
2018180925.tif 000007